【事件の表示】
　特許第６０９９４７０号発明「ＰＴＰ包装方法およびＰＴＰ包装機」の特許異議申立事件について、次のとおり決定する。
【結　論】
　特許第６０９９４７０号の特許請求の範囲を訂正請求書に添付された訂正特許請求の範囲のとおり訂正後の請求項〔１−３〕、４について訂正することを認める。
　特許第６０９９４７０号の請求項２〜４に係る特許を維持する。
　特許第６０９９４７０号の請求項１に係る特許についての申立てを却下する。
【理　由】
第１　手続の経緯 
　本件特許第６０９９４７０号（以下「本件特許」という。）の請求項１〜４に係る特許についての出願は、平成２５年４月２２日を出願日とする出願であって、平成２９年３月３日にその特許権の設定登録がされ、その後、平成２９年８月２５日に特許異議申立人平賀博（以下「申立人」という。）により、特許異議の申立てがされ、平成２９年１１月２日付けで取消理由が通知され、その指定期間内である平成３０年１月９日に意見書の提出及び訂正の請求があり、その訂正の請求に対して、平成３０年２月９日に申立人から、意見書が提出されたものである。
　
第２　訂正の請求 
１．訂正について
　平成３０年１月９日付け訂正請求書による訂正の請求は、「特許第６０９９４７０号の特許請求の範囲を本件訂正請求書に添付した訂正特許請求の範囲のとおり、訂正後の請求項１〜４について訂正する」ことを求めるものであり、その訂正（以下「本件訂正」という。）は、以下の請求項１〜３に係る訂正と請求項４に係る訂正からなる。
　
２．請求項１〜３に係る訂正
（１）訂正の内容
ア．訂正事項１ 
　特許請求の範囲の請求項１を削除する。
　
イ．訂正事項２
　特許請求の範囲の請求項２に、
「前記成型装置の上流側に、容器フィルムを加熱する加熱装置を設け、
　前記加熱装置は、前記容器フィルムの幅方向中央部位に対する加熱状態を、前記ポケット部を形成する領域よりも弱くすることを特徴とする請求項１に記載のＰＴＰ包装機。」とあるのを、
「
複数のポケット部と、長手方向の一方の端部に前記ポケット部が形成されない余剰フィルム部分とを備えたＰＴＰ包装体を製造するＰＴＰ包装機であって、
　容器フィルムに前記ポケット部を成型する成型装置と、
　その成型装置の下流側に配置され、前記ポケット部に製品を供給する製品供給領域と、
　その製品供給領域の下流側に配置され、前記容器フィルムに蓋フィルムを覆うとともに、それらを熱シールして密封するシール装置を備え、
　前記成型装置の上流側に、
前記
　
前記成型装置は、横に並んだ前記ＰＴＰ包装体の前記余剰フィルム部分が、内側に対向するようなレイアウトとなるように前記ポケット部を成型するようにし、
　前記加熱装置は、前記容器フィルムの
前記余剰フィルム部分となる
前記余剰フィルム部分以外の
及びその周辺の前記蓋フィルムと前記熱シールする
　
　なお、詳述すると、訂正事項２は、以下の訂正事項２−１〜訂正事項２−４からなる。
（ア）訂正事項２−１
　特許請求の範囲の請求項２に、「・・・を特徴とする請求項１に記載のＰＴＰ包装機。」と請求項１を引用していた記載を、請求項１を引用しない独立形式の記載に訂正する。（請求項２の記載を引用する請求項３も同様に訂正する。）
　
（イ）訂正事項２−２
　特許請求の範囲の請求項２に、
「容器フィルムに前記ポケット部を成型する成型装置と、
　その成形装置の下流側に配置され、前記ポケット部に製品を供給する製品供給領域と、
　その被包装物供給領域の下流側に配置され、前記容器フィルムに蓋フィルムを覆うとともに、それらを熱シールして密封するシール装置を備え、」（請求項１の特定事項）とあるのを、
「容器フィルムに前記ポケット部を成型する成型装置と、
　その成
型
　その
製品
　
（ウ）訂正事項２−３
　特許請求の範囲の請求項２に、
「前記成型装置は、横に並んだＰＴＰ包装体の前記余剰フィルム部分が、内側に対向するようなレイアウトとなるように前記ポケット部を成型するようにした」（請求項１の特定事項）、「前記成型装置の上流側に、容器フィルムを加熱する加熱装置を設け、」とあるのを、それぞれ
「前記成型装置は、横に並んだ
前記
、
前記
　
（エ）訂正事項２−４
　特許請求の範囲の請求項２に、
「前記加熱装置は、前記容器フィルムの幅方向中央部位に対する加熱状態を、前記ポケット部を形成する領域よりも弱くすること」とあるのを、
「前記加熱装置は、前記容器フィルムの
前記余剰フィルム部分となる
前記余剰フィルム部分以外の
及びその周辺の前記蓋フィルムと前記熱シールする
　
（２）訂正の適否 
ア．一群の請求項について 
　訂正事項１及び２に係る訂正前の請求項１〜３について、請求項２及び３は請求項１を直接あるいは間接的に引用するから、訂正前の請求項１〜３は、特許法第１２０条の５第４項に規定する一群の請求項である。
　
イ．訂正事項１について 
（ア）訂正の目的について 
　訂正事項１は、特許請求の範囲の請求項１を削除するものであるから、特許法第１２０条の５第２項ただし書第１号に規定する特許請求の範囲の減縮を目的とするものである。 
　
（イ）願書に添付した明細書、特許請求の範囲又は図面に記載した事項の範囲内であること、並びに、実質上特許請求の範囲を拡張し、又は変更する訂正ではないこと
　訂正事項１は、特許請求の範囲の請求項１を削除するものであるから、願書に添付した明細書、特許請求の範囲又は図面に記載した事項の範囲内の訂正であり、特許法第１２０条の５第９項で準用する特許法第１２６条第５項に適合する。
　また、訂正事項１は、実質上特許請求の範囲を拡張し、又は変更する訂正ではないことは明らかであるから、特許法第１２０条の５第９項で準用する特許法第１２６条第６項に適合する。 
　
ウ．訂正事項２について 
ウ−１．訂正事項２−１について 
（ア）訂正の目的
　訂正事項２−１は、訂正前の請求項２が訂正前の請求項１記載を引用する記載であったものを、請求項間の引用関係を解消し、請求項１を引用しないものとし、独立形式の請求項へ改めるものであるから、特許法第１２０条の５第２項ただし書第４号に規定する「他の請求項の記載を引用する請求項の記載を当該他の記載を引用しないものとすること」を目的とするものである。 
　
（イ）願書に添付した明細書、特許請求の範囲又は図面に記載した事項の範囲内であること、並びに、実質上特許請求の範囲を拡張し、又は変更する訂正ではないこと
　訂正事項２−１は、願書に添付した特許請求の範囲の請求項１及び２に基づくものであり、願書に添付した明細書、特許請求の範囲又は図面に記載した事項の範囲内の訂正であるから、特許法第１２０条の５第９項で準用する特許法第１２６条第５項に適合する。
　また、訂正事項２−１は、実質上特許請求の範囲を拡張し、又は変更する訂正ではないことは明らかであるから、特許法第１２０条の５第９項で準用する特許法第１２６条第６項に適合する。 
　
ウ−２．訂正事項２−２について 
（ア）訂正の目的
　訂正事項２−２は、訂正前の請求項２（請求項１の特定事項）の「その成形装置」、「その被包装物供給領域」が、「容器フィルムに前記ポケット部を成型する成型装置と、その成形装置の下流側に配置され、前記ポケット部に製品を供給する製品供給領域と、その被包装物供給領域の下流側に配置され、」の記載において、それぞれ直前の「成型装置」、「製品供給領域」を指すことは明らかであり、それらの誤記を訂正するものであるから、特許法第１２０条の５第２項ただし書第２号に規定する誤記又誤訳の訂正を目的とするものである。 
　
（イ）願書に最初に添付した明細書、特許請求の範囲又は図面に記載した事項の範囲内であること、並びに、実質上特許請求の範囲を拡張し、又は変更する訂正ではないこと
　訂正事項２−２は、願書に最初に添付した特許請求の範囲の請求項１及び明細書の【００１２】の「容器フィルムに前記ポケット部を成型する成型装置と、その成形装置の下流側に配置され、前記ポケット部に製品を供給する製品供給領域と、その被包装物供給領域の下流側に配置され、」の記載に基づくものであり、「その成形装置」、「その被包装物供給領域」が、それぞれ直前の「成型装置」、「製品供給領域」を指すことは明らかであるから、願書に最初に添付した明細書、特許請求の範囲又は図面に記載した事項の範囲内の訂正であり、特許法第１２０条の５第９項で準用する特許法第１２６条第５項に適合する。
　また、訂正事項２−２は、実質上特許請求の範囲を拡張し、又は変更する訂正ではないことは明らかであるから、特許法第１２０条の５第９項で準用する特許法第１２６条第６項に適合する。 
　
ウ−３．訂正事項２−３について 
（ア）訂正の目的
　訂正事項２−３は、訂正前の請求項２の「前記成型装置は、横に並んだＰＴＰ包装体の前記余剰フィルム部分が、内側に対向するようなレイアウトとなるように前記ポケット部を成型するようにした」（請求項１の特定事項）の「ＰＴＰ包装体」、「前記成型装置の上流側に、容器フィルムを加熱する加熱装置を設け、」の「容器フィルム」が何を指すかそれぞれ不明瞭であったものを、その前に記載されたものであることを明瞭にするために、「前記ＰＴＰ包装体」、「前記容器フィルム」とするものであるから、特許法第１２０条の５第２項ただし書第３号に規定する明瞭でない記載の釈明を目的とするものである。 
　
（イ）願書に添付した明細書、特許請求の範囲又は図面に記載した事項の範囲内であること、並びに、実質上特許請求の範囲を拡張し、又は変更する訂正ではないこと
　訂正事項２−２は、願書に添付した特許請求の範囲の請求項１及び２、明細書の【００１２】及び【００１３】の記載に基づくものであるから、願書に添付した明細書、特許請求の範囲又は図面に記載した事項の範囲内の訂正であり、特許法第１２０条の５第９項で準用する特許法第１２６条第５項に適合する。
　また、訂正事項２−２は、実質上特許請求の範囲を拡張し、又は変更する訂正ではないことは明らかであるから、特許法第１２０条の５第９項で準用する特許法第１２６条第６項に適合する。
　
ウ−４．訂正事項２−４について 
（ア）訂正の目的
　訂正事項２−４は、訂正前の請求項２の「前記加熱装置は、前記容器フィルムの幅方向中央部位に対する加熱状態を、前記ポケット部を形成する領域よりも弱くすること」の「前記容器フィルムの幅方向中央部位」及び「前記ポケット部を形成する領域」が何を示すか不明瞭だったものを、それぞれ、「前記容器フィルムの前記余剰フィルム部分となる幅方向中央部位」、「前記余剰フィルム部分以外の前記ポケット部及びその周辺の前記蓋フィルムと前記熱シールする領域」と明瞭にするものであるから、特許法第１２０条の５第２項ただし書第３号に規定する明瞭でない記載の釈明を目的とするものである。
　
（イ）願書に添付した明細書、特許請求の範囲又は図面に記載した事項の範囲内であること、並びに、実質上特許請求の範囲を拡張し、又は変更する訂正ではないこと
　訂正事項２−４は、願書に添付した明細書の【００３１】の「例えば、図８に示すように、加熱装置１５の上部，下部加熱板１５ａ，１５ｂの幅方向中央部位に搬送方向に沿って伸びる凹溝１５ｃを形成する。これにより、上下の加熱板１５ａで容器フィルム１０を挟み込んだ際に、凹溝１５ｃに対向するフィルム部位は加熱板１５ａに非接触となり加熱されず、熱膨張しない。よって、
成型装置１６を通過後の容器フィルム１０は、図９に示すように、ポケット部１０ａを形成する左右の領域（ハッチングで示す）
係る中央領域Ｒ２は、最終的なＰＴＰ包装体における余剰フィルム部分となる
　また、訂正事項２−４は、実質上特許請求の範囲を拡張し、又は変更する訂正ではないことは明らかであるから、特許法第１２０条の５第９項で準用する特許法第１２６条第６項に適合する。
　
エ．小括
　したがって、請求項１〜３に係る訂正は、特許法第１２０条の５第２項ただし書第１〜４号に掲げる事項を目的とし、同条第４項並びに同条第９項の規定によって準用する第１２６条第５項及び第６項に適合するので、訂正後の請求項［１−３］について訂正を認める。 
　
３．請求項４に係る訂正
（１）訂正の内容
　訂正事項３は、特許請求の範囲の請求項４に、
「複数のポケット部と、長手方向の一方の端部に前記ポケット部が形成されない余剰フィルム部分とを備えたＰＴＰ包装体を製造するＰＴＰ包装方法であって、
  横に並んだＰＴＰ包装体の前記余剰フィルム部分が、内側に対向して配置した状態で、前記ＰＴＰ包装体を製造することを特徴とするＰＴＰ包装方法。」とあるのを、
「複数のポケット部と、長手方向の一方の端部に前記ポケット部が形成されない余剰フィルム部分とを備えたＰＴＰ包装体を製造するＰＴＰ包装方法であって、
　横に並んだ
前記
ものであり、
　容器フィルムに、横に並んだ前記ＰＴＰ包装体の前記余剰フィルム部分が、内側に対向するようなレイアウトとなるように前記ポケット部を成型する成型行程と、
　その成型行程を行う前に、前記容器フィルムの前記余剰フィルム部分となる幅方向中央部位に対する加熱状態を前記余剰フィルム部分以外の前記ポケット部及びその周辺の後行程で熱シールする領域よりも弱くするように前記容器フィルムを加熱する行程を備える
　
（２）訂正の適否 
ア．訂正の目的について 
　訂正事項３は、ＰＴＰ包装方法について、「容器フィルムに、横に並んだ前記ＰＴＰ包装体の前記余剰フィルム部分が、内側に対向するようなレイアウトとなるように前記ポケット部を成型する成型行程」と、「その成型行程を行う前に、前記容器フィルムの前記余剰フィルム部分となる幅方向中央部位に対する加熱状態を前記余剰フィルム部分以外の前記ポケット部及びその周辺の後行程で熱シールする領域よりも弱くするように前記容器フィルムを加熱する行程」とを追加するもので、特許法第１２０条の５第２項ただし書第１号に規定する特許請求の範囲の減縮を目的とするものである。 
　
イ．願書に添付した明細書、特許請求の範囲又は図面に記載した事項の範囲内であること、並びに、実質上特許請求の範囲を拡張し、又は変更する訂正ではないこと
　訂正事項３は、成型行程については、願書に添付した明細書の【００２８】の「これにより、この成型装置１６にて成型処理が施され、通過した容器フィルム１０は、図６に示すように、成型装置１６の凹部１６ｃ′に対向する位置にポケット部１０ａが成型される。そして、最終的に個々のＰＴＰ包装体を構成するフィルム部位は、図６中、二点鎖線で示す領域となる。・・・平坦な余剰フィルム部分１０ｂは、容器フィルム１０の中央側の凹部未形成領域Ｒ１に形成する。これにより、横に並んだＰＴＰ包装体の余剰フィルム部分１０ｂを内側に対向して配置した状態で、ＰＴＰ包装体を製造する。」 との記載、加熱行程については、同明細書の【００３１】の「例えば、図８に示すように、加熱装置１５の上部，下部加熱板１５ａ，１５ｂの幅方向中央部位に搬送方向に沿って伸びる凹溝１５ｃを形成する。これにより、上下の加熱板１５ａで容器フィルム１０を挟み込んだ際に、凹溝１５ｃに対向するフィルム部位は加熱板１５ａに非接触となり加熱されず、熱膨張しない。よって、成型装置１６を通過後の容器フィルム１０は、図９に示すように、ポケット部１０ａを形成する左右の領域（ハッチングで示す）は加熱されて熱膨張し、その後に収縮するが、中央領域Ｒ２は元々熱膨張をほとんどせずに、安定した状態を保つ。係る中央領域Ｒ２は、最終的なＰＴＰ包装体における余剰フィルム部分となるため、後段のシール装置２０におけるシール処理時に斜め方向のストレスによる歪みを受けにくくなり、よりきれいなＰＴＰ包装体を製造することができる。」との記載、並びに図８及び図９に基づくものであるから、願書に添付した明細書、特許請求の範囲又は図面に記載した事項の範囲内の訂正であり、特許法第１２０条の５第９項で準用する特許法第１２６条第５項に適合する。
　また、訂正事項３は、実質上特許請求の範囲を拡張し、又は変更する訂正ではないことは明らかであるから、特許法第１２０条の５第９項で準用する特許法第１２６条第６項に適合する。 
　
ウ．小括
　したがって、請求項４に係る訂正は、特許法第１２０条の５第２項ただし書第１号に掲げる事項を目的とし、同条第９項の規定によって準用する第１２６条第５項及び第６項に適合するので、訂正後の請求項４について訂正を認める。 
　
４．まとめ 
　以上のとおり、本件訂正は、特許法第１２０条の５第２項ただし書第１〜４号に掲げる事項を目的とし、同条第４項並びに同条第９項の規定によって準用する第１２６条第５項及び第６項に適合するので、訂正後の請求項〔１−３〕、４について訂正を認める。 
　
第３　本件特許発明 
　上記のとおり本件訂正が認められるから、本件特許の請求項２〜４に係る発明（以下「本件発明２〜４」という。）は、上記訂正請求書に添付された訂正特許請求の範囲の請求項２〜４に記載された事項により特定される、次のとおりのものである。 
「【請求項２】
　複数のポケット部と、長手方向の一方の端部に前記ポケット部が形成されない余剰フィルム部分とを備えたＰＴＰ包装体を製造するＰＴＰ包装機であって、
　容器フィルムに前記ポケット部を成型する成型装置と、
　その成型装置の下流側に配置され、前記ポケット部に製品を供給する製品供給領域と、
　その製品供給領域の下流側に配置され、前記容器フィルムに蓋フィルムを覆うとともに、それらを熱シールして密封するシール装置を備え、
　前記成型装置の上流側に、前記容器フィルムを加熱する加熱装置を設け、　前記成型装置は、横に並んだ前記ＰＴＰ包装体の前記余剰フィルム部分が、内側に対向するようなレイアウトとなるように前記ポケット部を成型するようにし、
　前記加熱装置は、前記容器フィルムの前記余剰フィルム部分となる幅方向中央部位に対する加熱状態を、前記余剰フィルム部分以外の前記ポケット部及びその周辺の前記蓋フィルムと前記熱シールする領域よりも弱くすることを特徴とするＰＴＰ包装機。
【請求項３】
　前記加熱装置は、前記容器フィルムを上下から挟み込む加熱部材を有し、
　その上下の加熱部材の少なくとも一方が、前記容器フィルムの幅方向中央部位と非接触となるようにしたことを特徴とする請求項２に記載のＰＴＰ包装機。
【請求項４】
　複数のポケット部と、長手方向の一方の端部に前記ポケット部が形成されない余剰フィルム部分とを備えたＰＴＰ包装体を製造するＰＴＰ包装方法であって、
　横に並んだ前記ＰＴＰ包装体の前記余剰フィルム部分が、内側に対向して配置した状態で、前記ＰＴＰ包装体を製造するものであり、
　容器フィルムに、横に並んだ前記ＰＴＰ包装体の前記余剰フィルム部分が、内側に対向するようなレイアウトとなるように前記ポケット部を成型する成型行程と、
　その成型行程を行う前に、前記容器フィルムの前記余剰フィルム部分となる幅方向中央部位に対する加熱状態を前記余剰フィルム部分以外の前記ポケット部及びその周辺の後行程で熱シールする領域よりも弱くするように前記容器フィルムを加熱する行程を備えることを特徴とするＰＴＰ包装方法。」
　
第４　当審の判断 
１．平成２９年１１月２日付け取消理由通知に記載した取消理由の概要 
　当審において通知した取消理由の概要は以下のとおりである。なお、上記取消理由において申立人の特許異議申立理由は、全て通知した。
　
　本件発明２〜４は、その出願前日本国内または外国において頒布された下記の刊行物に記載された発明又は電気通信回線を通じて公衆に利用可能となった発明に基いて、その出願前にその発明の属する技術の分野における通常の知識を有する者が容易に発明をすることができたものであるから、特許法第２９条第２項の規定により特許を受けることができない。
 　 　　　　　　　　　　　　　　　記 
　（以下、「甲第１号証」等を「甲１」等という。また、「甲第１号証に記載された発明」、「甲第２号証に記載された事項」等を、それぞれ「甲１発明」、「甲２記載事項」等という。）  
甲１：特開平１０−２１８１３９号公報
甲２：実公昭５３−５３３号公報
甲３：特開２００６−２８０８２５号公報
甲４：特開２００２−１９７３４号公報
甲５：特開平６−４８４２１号公報
甲６：特開昭６３−３１９１２０号公報
甲７：特開２００４−１３１１１７号公報
　
（１）本件発明２及び３について 
 　本件発明２及び３は、甲１発明、甲２記載事項及び周知技術（甲４〜甲７に例示されるもの）に基いて当業者が容易に発明をすることができたものである。
 　 
（２）本件発明４について 
 　本件発明４は、甲２発明、あるいは甲２発明及び甲３記載事項に基いて当業者が容易に発明をすることができたものである。
　
２．上記取消理由についての判断 
（１）甲各号証について
ア．甲１記載事項及び甲１発明
　甲１には、以下の事項が記載されている。
「【０００９】
【発明の実施の形態】以下、図面を参照して本発明の実施例について説明する。図１において、本発明のカール防止方法を実施するＰＴＰ包装装置の一例が全体を参照番号１で概略的に示されている。同図において、２は樹脂材料でつくられた容器フィルムＦ１を加熱するヒータ、３は容器フィルムＦ１に複数の容器すなわちポケットｐを形成する成形装置、４はポケットｐ内に錠剤等の品物を充填する充填装置、５は容器フィルムＦ１とその上に被されたカバーフィルムＦ２とを加熱接着させてシールするヒートシール装置、６はポケット毎にその周囲においてフィルムにミシン目又はスリット等の切り込みを形成する切り込み形成装置、７は連続するフィルムから所定の大きさのＰＴＰシートに打つ抜く打ち抜き装置である。カバーフィルムＦ２は、この実施例では容器フィルムと同じ樹脂材料をベースとしてつくられ、容器フィルム側の面に加熱により軟化する接着層が形成されている。」
「【００１２】可動フレーム６２の上面には、公知の方法（例えば、電気ヒータ等を埋設すること）により加熱されるようになっている加熱板６４１から成る加熱装置６４が取り外し可能に取り付けられている。加熱板６４の上にはスリッタ刃ユニット６５が取り外し可能に取り付けられている。スリッタ刃ユニット６５は、ベースプレート６５１と、そのベースプレート６５１に直立した状態で固定された複数（５枚一組として二組で１０枚）のスリッタ刃６５２とを備えている。このスリッタ刃は図４に示すＰＴＰシートａの幅方向に全幅にわたって伸びるスリットＳを形成する。・・・
「【図１】
」
「【図２】
」
「【図４】
」
　甲１の図２及び図４から、図２の左側のＰＴＰシートに関しては、「余剰フィルム部分」がシートの中央側に位置していることを看取できる。甲１の図２は切り込み形成装置６の断面図であるが、上流側においても同様であるから、図１の成形装置３においても、図２の左側のＰＴＰシートに対応する部分に関しては、「余剰フィルム部分」がシートの中央側に位置しているといえる。
　よって、上記記載事項から、甲１には、以下の甲１発明が記載されている。
「複数のポケットｐと、長手方向の一方の端部に前記ポケットｐが形成されない余剰フィルム部分とを備えたＰＴＰシートを製造するＰＴＰ包装装置であって、
　容器フィルムに前記ポケットｐを成型する成型装置３と、
　その成形装置３の下流側に配置され、前記ポケットｐに品物を充填する充填装置４と、
　その品物を充填する充填装置４の下流側に配置され、前記容器フィルムにカバーフィルムを覆うとともに、それらを加熱接着してヒートシールするヒートシール装置５を備え、
　前記成型装置３の上流側に、前記容器フィルムを加熱するヒータ２を設け、
　前記成型装置３は、横に並んだＰＴＰシートの一方の前記余剰フィルム部分が、内側に対向するようなレイアウトとなるように前記ポケットｐを成型するようにした、ＰＴＰ包装装置。」
　
イ．甲２記載事項及び甲２発明
　甲２には、以下の事項が記載されている。
「このブリスター包装を行うにあたっては、まず、熱可塑性の帯状フィルムに成型装置で多数のブリスターを縦横に成型しこれらのブリスターに錠剤等を自動的に供給した後、上からアルミ箔等を被せシールローラで熱圧着してヒートシールを行う。
次に、切り離しやすいようにミシン目カットを入れた後、一定寸法に打抜いてブリスター包装品とする。」（１頁１欄３５行〜２欄５行）
「なお、ダイス２の上側面に形成された多数の楕円状凹部１５は、打抜き前のシートのブリスター包装された錠剤を逃げるためのものである。」（２頁３欄１６行〜１９行）
「包装シートの打抜きにあたっては、ダイス２の上面で第３図の矢印方向へ、錠剤等がブリスター包装された帯状シートを間欠的に送つて打抜いていく。」（２頁３欄３３行〜３６行）
「シートが１ピツチ送られると、図示されない駆動機構でダイス２が押上げられて、２個の大刃１１．１１′とポンチ４，４′により、２枚の方形シートが打抜かれる。」（２頁４欄４行〜７行）
「第３図
」
　甲２の第３図の「ダイス２の上側面に形成された多数の楕円状凹部１５」は、打抜き前のシートのブリスター包装された錠剤を逃げるためのものであるから、多数の楕円状凹部１５が設けられた部分に対向する位置にブリスター包装品のブリスターが設けられているので、第３図のＹで示される部分（楕円状凹部１５が設けられていない部分）には、横に並んだブリスター包装品の余剰フィルム部分が、内側に対向して配置されているといえる。
　よって、上記記載事項から、甲２には、以下の甲２発明が記載されている。
「多数のブリスターと、長手方向の一方の端部に前記ブリスターが形成されない余剰フィルム部分とを備えたブリスタ−包装品を製造するブリスター包装方法であって、
　熱可塑性の帯状フィルムに成型装置で多数のブリスターを縦横に成型しこれらのブリスターに錠剤等を自動的に供給した後、上からアルミ箔等を被せシールローラで熱圧着してヒートシールを行い、一定寸法に打抜いてブリスター包装品とし、
　横に並んだブリスター包装品の前記余剰フィルム部分が、内側に対向して配置した状態で、前記ブリスター包装品を製造する、ブリスター包装方法。」
　
ウ．甲３記載事項
　甲３には、以下の事項が記載されている。
「【００１４】
図３は、本発明の７０錠ＰＴＰシートにおいて中央で２つの３５錠PTPシートに分割可能なミシン目と誤飲防止スペースを設けた７０錠PTPシートである。」
「【図３】
」
（２）本件発明２について 
ア．対比 
　本件発明２と甲１発明とを対比すると、甲１発明の「ＰＴＰ包装装置」、「ポケットｐ」、「ＰＴＰシート」、「成型装置３」、「ヒートシール装置５」、「ヒータ２」は、本件発明２の「ＰＴＰ包装機」、「ポケット部」、「ＰＴＰ包装体」、「成型装置」、「シール装置」、「加熱装置」にそれぞれに相当する。そうすると、両者は少なくとも以下の点で相違する。
＜相違点１＞ 
　加熱装置が、本件発明２では、容器フィルムの余剰フィルム部分となる幅方向中央部位に対する加熱状態を、前記余剰フィルム部分以外のポケット部及びその周辺の蓋フィルムと熱シールする領域よりも弱くするのに対して、甲１発明のヒータ２は、そのような構成を備えてない点。
　
イ．相違点１についての検討 
　甲１のヒータ２のように成型装置の上流側に配置され容器フィルムを加熱する加熱装置について、「容器フィルムの余剰フィルム部分となる幅方向中央部位に対する加熱状態を、前記余剰フィルム部分以外のポケット部及びその周辺の蓋フィルムと熱シールする領域よりも弱くする」点は、甲２に記載もされていないし、示唆する記載もない。また、周知技術を示す証拠とされている甲４〜甲７にも、その点は、記載もされていないし、示唆する記載もない。
　そして、本件発明２は、相違点１に係る構成により、「中央領域は元々熱膨張をほとんどせずに、安定した状態を保ち、係る中央領域は、最終的なＰＴＰ包装体における余剰フィルム部分となるため、後段のシール装置におけるシール処理時に斜め方向のストレスによる歪みを受けにくくなり、よりきれいなＰＴＰ包装体を製造することができる」（明細書【００３１】）との格別の作用効果を奏するものである。
　よって、本件発明２は、甲１発明、甲２記載事項及び周知技術に基いて、当業者が容易に発明をすることができたものではない。 
　
（３）本件発明３について 
　本件発明３は、本件発明２の発明特定事項をすべて含むものであるところ、上記（２）の説示を踏まえれば、甲１発明、甲２記載事項及び周知技術に基いて、当業者が容易に発明をすることができたものではない。 
　
（４）本件発明４について 
ア．対比 
　本件発明４と甲２発明とを対比すると、甲２発明の「ブリスター包装方法」は、錠剤を熱可塑性の帯状フィルムとアルミ箔等で包装する方法であるので、本件発明４の「ＰＴＰ包装方法」に相当する。また、甲２発明の、「ブリスター」、「ブリスター包装品」、「熱可塑性の帯状フィルム」は、本件発明４の「ポケット部」、「ＰＴＰ包装体」、「容器フィルム」にそれぞれに相当する。そうすると、両者は少なくとも以下の点で相違する。
＜相違点２＞ 
　成型行程前に行う容器フィルムの加熱について、本件発明４では、容器フィルムの余剰フィルム部分となる幅方向中央部位に対する加熱状態を前記余剰フィルム部分以外のポケット部及びその周辺の後行程で熱シールする領域よりも弱くするように前記容器フィルムを加熱する行程を備えるのに対して、甲２発明は、そのような行程を備えてない点。
　
イ．相違点２についての検討 
　成型行程前に行う容器フィルムの加熱について、「容器フィルムの余剰フィルム部分となる幅方向中央部位に対する加熱状態を前記余剰フィルム部分以外のポケット部及びその周辺の後行程で熱シールする領域よりも弱くするように前記容器フィルムを加熱する行程を備える」点は、甲３に記載もされていないし、示唆する記載もない。また、周知技術を示す証拠とされている甲４〜甲７にも、その点は、記載もされていないし、示唆する記載もない。
　そして、本件発明４は、相違点２に係る構成により、「中央領域は元々熱膨張をほとんどせずに、安定した状態を保ち、係る中央領域は、最終的なＰＴＰ包装体における余剰フィルム部分となるため、後段のシール装置におけるシール処理時に斜め方向のストレスによる歪みを受けにくくなり、よりきれいなＰＴＰ包装体を製造することができる」（明細書【００３１】）との格別の作用効果を奏するものである。
　よって、本件発明４は、甲２発明及び甲３記載事項に基いて、当業者が容易に発明をすることができたものではない。 
　
ウ．小括 
　よって、本件発明２〜４は、甲１発明、甲２記載事項及び周知技術、あるいは、甲２発明及び甲３記載事項に基いて、当業者が容易に発明をすることができたものとはいえず、特許法第２９条第２項の規定により特許を受けることができないものではないから、本件発明２〜４に係る特許は、特許法第１１３条第２号に該当せず、取り消されるべきものとすることはできない。
　
第５　むすび 
　以上のとおりであるから、取消理由通知に記載した取消理由によっては、本件発明２〜４に係る特許を取り消すことはできない。 
　また、本件特許の請求項１は、本件訂正により削除されたため、本件特許の請求項１に対して申立人がした特許異議の申立てについては、対象となる請求項が存在しない。よって、本件特許の請求項１に係る特許異議の申立ては不適法であって、その補正をすることができないものであるから、特許法第１２０条の８で準用する同法第１３５条の規定により、却下すべきものである。 
　そして、他に本件発明２〜４に係る特許を取り消すべき理由を発見しない。 
　よって、結論のとおり決定する。 
【異議決定日】
平成３０年５月３１日（２０１８．５．３１）
【訂正の要旨】
審決（決定）の【理由】欄参照。
（５７）【特許請求の範囲】
　【請求項１】
（削除）
　【請求項２】
　
複数のポケット部と、長手方向の一方の端部に前記ポケット部が形成されない余剰フィルム部分とを備えたＰＴＰ包装体を製造するＰＴＰ包装機であって、
　容器フィルムに前記ポケット部を成型する成型装置と、
　その成型装置の下流側に配置され、前記ポケット部に製品を供給する製品供給領域と、
　その製品供給領域の下流側に配置され、前記容器フィルムに蓋フィルムを覆うとともに、それらを熱シールして密封するシール装置を備え、
　前記成型装置の上流側に、
前記
　前記成型装置は、横に並んだ前記ＰＴＰ包装体の前記余剰フィルム部分が、内側に対向するようなレイアウトとなるように前記ポケット部を成型するようにし、
　前記加熱装置は、前記容器フィルムの
前記余剰フィルム部分となる
前記余剰フィルム部分以外の
及びその周辺の前記蓋フィルムと前記熱シールする
　【請求項３】
　前記加熱装置は、前記容器フィルムを上下から挟み込む加熱部材を有し、
　その上下の加熱部材の少なくとも一方が、前記容器フィルムの幅方向中央部位と非接触となるようにしたことを特徴とする請求項２に記載のＰＴＰ包装機。
　【請求項４】
　複数のポケット部と、長手方向の一方の端部に前記ポケット部が形成されない余剰フィルム部分とを備えたＰＴＰ包装体を製造するＰＴＰ包装方法であって、
　横に並んだ
前記
ものであり、
　容器フィルムに、横に並んだ前記ＰＴＰ包装体の前記余剰フィルム部分が、内側に対向するようなレイアウトとなるように前記ポケット部を成型する成型行程と、
　その成型行程を行う前に、前記容器フィルムの前記余剰フィルム部分となる幅方向中央部位に対する加熱状態を、前記余剰フィルム部分以外の前記ポケット部及びその周辺の後行程で熱シールする領域よりも弱くするように前記容器フィルムを加熱する行程を備える